(57)【要約】    【課題】  本発明の目的は鉄粉を吸着するマグネットの交換を簡単に行え、コストを低減できる油濾過装置を提供することにある。    【解決手段】  周方向に油の流入口１ａが穿設され、長手方向の一端が流出穴１ｂになる円筒状胴体部１の内部にストレーナ７を固定配置する。胴体部周方向に流入穴１ａより下方に穿設されている取付口１ｃに取付座４を溶着する。マグネット１２により油中の鉄粉を吸着する鉄粉吸着部材１６は取付座４に着脱自在に密封装着される。【選択図】  図１
2006000716.tif 000002
【特許請求の範囲】
【請求項１】
周方向に油の流入口が穿設され、長手方向の一端が流出穴になる円筒状胴体部と、前記胴体部の他端を密封するプレートと、前記胴体部流入穴から流入した油が流過するように前記胴体部の内部に固定配置され、外周面に複数の小孔が穿設されているストレーナと、前記胴体部周方向に前記流入穴より下方に穿設されている取付口に着脱自在に密封装着され、マグネットにより油中の鉄粉を吸着する鉄粉吸着部材とを具備することを特徴とする油濾過装置。
【請求項２】
周方向に油の流入口が穿設され、長手方向の一端が流出穴になる円筒状胴体部と、前記胴体部の他端を密封するプレートと、前記胴体部流入穴から流入した油が流過するように前記胴体部の内部に固定配置され、外周面に複数の小孔が穿設されているストレーナと、前記胴体部流出穴に配置され油量を調整するプレートオリフィスと、ネジ溝が設けられた磁性体プラグの上面に磁性体かごを固定、下面にマグネットを固定されて構成され、前記胴体部周方向に前記流入穴より下方に穿設されている取付口に着脱自在に密封螺着される鉄粉吸着部材とを具備することを特徴とする油濾過装置。
【発明の詳細な説明】
【技術分野】
【０００１】
本発明は蒸気タービン用軸受などに強制潤滑給油される潤滑油を濾過する油濾過装置に関する。
【背景技術】
【０００２】
一般に、蒸気タービン軸受の給油ラインには各軸受入口に油濾過装置としてのオリフィスボックスが設置されている。オリフィスボックスは、円筒の外周面に複数の小孔を打抜き穿設したストレーナで異物を除去するようになっている。ストレーナは整流作用も兼ねているため圧力損失を生じさせないために粗い目にしている。目幅は１mm程度である。このため、１mmより小さい微小鉄片などの鉄粉を除去できなくなる。
【０００３】
このことを解決するために、油タンクに回収した油をフィルタで清浄にしてからポンプによって軸受給油ラインに供給している。しかし、ポンプから軸受までの配管が長いために、配管内部や付属装置から異物発生（金属剥離、錆など）が絶えず生じている。配管内部から発生した微小異物（鉄粉）は、オリフィスボックスにて回収されることなく軸受に流入することになる。
【０００４】
鉄粉を除去するために、フィルタの上流側に磁石を配置し鉄粉を吸着除去することが知られている。このことは、例えば，下記特許文献１に記載されている。
【０００５】
【特許文献１】特開平９−９９２５３号公報
【発明の開示】
【発明が解決しようとする課題】
【０００６】
従来技術はフィルタの上流側に磁石を配置し鉄粉を吸着除去する鉄粉吸着除去装置を配管の間に接続している。磁石に吸着された鉄粉が剥離する場合やフィルタが目詰まりした場合には鉄粉吸着除去装置全体を交換するようにしている。このため、交換作業が面倒であると共に油濾過装置としての鉄粉吸着除去装置を廃棄することになりコスト高になるという問題点を有する。
【０００７】
本発明の目的は鉄粉を吸着するマグネットの交換を簡単に行え、コストを低減できる油濾過装置を提供することにある。
【課題を解決するための手段】
【０００８】
本発明の特徴とするところは、周方向に油の流入口が穿設され、長手方向の一端が流出穴になる円筒状胴体部の内部にストレーナを固定配置し、胴体部周方向に流入穴より下方に穿設されている取付口に、マグネットにより油中の鉄粉を吸着する鉄粉吸着部材を着脱自在に密封装着するようにしたことにある。
【０００９】
本発明は円筒状胴体部の周方向に油流入穴より下方に穿設されている取付口に、鉄粉を吸着する鉄粉吸着部材を着脱自在に密封装着している。鉄粉吸着部材に多くの鉄粉が吸着された場合には鉄粉吸着部材を取り外し交換あるいは洗浄するだけでよく、鉄粉を吸着するマグネットの交換を簡単に行え、かつコストを低減できる。
【発明の効果】
【００１０】
本発明は鉄粉吸着部材に多くの鉄粉が吸着された場合には鉄粉吸着部材を取り外し交換あるいは洗浄するだけでよく、鉄粉を吸着するマグネットの交換を簡単に行え、かつコストを低減できる。
【発明を実施するための最良の形態】
【００１１】
円筒状胴体部は周方向に油の流入口が穿設され、長手方向の一端が流出穴になる。胴体部の他端はプレートで密封されている。ストレーナは円筒形状で、外周面に複数の小孔が穿設されている。ストレーナは胴体部流入穴から流入した油が流過するように胴体部の内部に固定配置される。油量を調整するプレートオリフィスは胴体部流出穴に配置される。鉄粉吸着部材は、ネジ溝が設けられた磁性体プラグの上面に磁性体かごを固定、下面にマグネットを固定されて構成される。鉄粉吸着部材は胴体部周方向に流入穴より下方に穿設されている取付口に着脱自在に密封螺着される。
【実施例１】
【００１２】
図１、図２に本発明の一実施例を示す。図１は一部破断した平面図、図２は断面図である。
【００１３】
図1，図２において、オリフィスボックスの円筒状胴体部１は周方向に油の流入口１ａが穿設され、長手方向の一端（図示右端）が流出穴１ｂになる。胴体部１は流入口１ａに入口ノズル２が溶着され、また、胴体部１は一端の外周をテーパー状に形成され、先端に
出口ノズル３が溶着されている。胴体部１の長手方向の一端が流出穴１ｂになる。
【００１４】
胴体部１の流出穴１ｂの上流側に油量を調整するプレートオリフィス６が配置されている。胴体部１には流入穴１ａより周方向に略９０°異なる下方に取付口１ｃが穿設されている。取付口１ｃには円筒の取付座４が溶着されている。
【００１５】
ストレーナ７は円筒形状で、外周面に複数の小孔が打抜きにより穿設されている。ストレーナ７は一端をプレート（円板）８ａに溶着され、他端がプレート８ｂに溶着され密閉されている。ストレーナ７の一端が溶着されるプレート（円板）８ａには中央部に穴が穿設されている。プレート８ａと胴体部１の流出穴１ｂの間にプレートオリフィス６が配置される。ストレーナ７は流入穴１ａから流入した油が流過するように胴体部１の内部に配置される。
【００１６】
胴体部１の他端の内周面にネジ溝が形成されており、プレート（円板）９が螺合嵌挿される。プレート９の外周面にはネジ溝が切られている。プレート８ａ、８ｂを含むストレーナ７はプレート９を胴体部１の他端に螺合嵌挿することにより胴体部１の内部に固定配置される。
【００１７】
胴体部１の他端の外周面にはフランジ５が設けられている。フランジ５には閉止フランジ１０がボルト１１により取付けられている。閉止フランジ１０はオリフィスボックス内の目詰まりを確認するなどの分解点検のために設けられている。
【００１８】
鉄粉吸着部材１６は、図３に示すようにネジ溝が形成されている磁性体プラグ１３の上面に磁性体かご１４が固定され、また、下面にマグネット１２がシール溶接にて接着して固定されている。マグネット１２はプラグ１３の下面に形成した凹溝に埋め込んで固定される。マグネット１２としては、例えば焼結ハイパワーマグネットが用いられる。
【００１９】
鉄粉吸着部材１６は取付座4に螺合挿着され、胴体部１に着脱自在に密封螺着される。鉄粉吸着部材１６は胴体部１の周方向に油流入穴１ａより下方に穿設されている取付口１ｃに着脱自在に密封装着される。胴体部１に螺着した鉄粉吸着部材１６のマグネット１２には図1に示すように保護カバー１５が接着される。プラグ１３と保護カバー１５を強化透明材料で形成することより内部観察することができる。図１には鉄粉吸着部材１６に吸着された鉄粉（微小鉄片）１７を示している。
【００２０】
本発明の油濾過装置はこのように構成されるが、円筒状胴体部１の周方向に油流入穴１ａより下方に穿設されている取付口１ｃに、鉄粉を吸着する鉄粉吸着部材１６を着脱自在に密封装着している。鉄粉吸着部材１６に多くの鉄粉が吸着された場合には鉄粉吸着部材１６を取り外し交換あるいは洗浄するだけでよく、鉄粉を吸着するマグネット１２の交換を簡単に行え、かつコストを低減できる。
【実施例２】
【００２１】
図４は鉄粉吸着部材１６を胴体部１の流入穴１ａと対向位置に設けたものである。流入穴１ａを胴体部１の水平位置より上に穿設することによって、鉄粉吸着部材１６が流入穴１ｃより下方になり実施例１に同様に鉄粉を吸着することができる。
【実施例３】
【００２２】
図５は鉄粉吸着部材１６を胴体部１の流入穴１ａと対向位置（水平位置）と下方の２箇所に鉄粉吸着部材１６を設けたものである。このように構成しても実施例１に同様に鉄粉を吸着することができる。
【実施例４】
【００２３】
図６（ａ）、（ｂ）にそれぞれ鉄粉吸着部材１６の他の例を示す。図６（ａ）は鉄粉１７をプラグ１３に設けた穴１３ａに吸着し、円形の内部観察窓１３ｂを形成したものである。プラグ１３は強化透明材料で形成されている。
【００２４】
図６（ｂ）はプラグ１３の底面をテーパー形状に加工して内部観察面１３ｃを設けたものである
【図面の簡単な説明】
【００２５】
【図１】本発明の一実施例を示す一部破断した平面図である。
【図２】本発明の一実施例を示す断面図である。
【図３】本発明の鉄粉吸着部材の一例を示す斜視図である。
【図４】本発明の他の実施例を示す断面図である。
【図５】本発明の他の実施例を示す構成図である。
【図６】本発明の鉄粉吸着部材の他の一例を示す断面図である。（応用1）複数微小鉄片吸着器付オリフィスボックスの側面
【符号の説明】
【００２６】
1…オリフィスボックス胴体部、１ａ…流入穴、１ｂ…流出穴、１ｃ…取付口、２…入口ノズル、３…出口ノズル、４…取付座、５…フランジ、6…プレートオリフィス、7…ストレーナ、８…プレート、9…ネジ込みプレート、1０…閉止フランジ、1１…ボルト、１２…マグネット、１３…プラグ、１４…磁性体かご、１５…保護カバー、１６…鉄粉吸着部材。
【図１】
2006000716.tif 000003
【図２】
2006000716.tif 000004
【図３】
2006000716.tif 000005
【図４】
2006000716.tif 000006
【図５】
2006000716.tif 000007
【図６】
2006000716.tif 000008